Podtech/llm-jp-corpus-v4-ja_patent huggingface dataset:
(57)【要約】      （修正有）【課題】甲バンドに甲飾りを挿通しただけでは、甲飾りが取れ易いという欠点を解決するために、甲飾りが取れにくい構造の子供用の靴を提供する。【解決手段】甲バンド３を靴１の開口部に設け、甲バンドを開閉することにより面ファスナーを介して着脱できる靴において、甲飾り２は裏当てが縫着されており、前記裏当てには甲バンドを通す為の切欠きが２ヶ所設けられており、その２ヶ所の切欠き部は、共に外方向に突出するような突起部を有しており、前記裏当ての切欠き部において甲バンドが縫着されていることを特徴とする。【選択図】図１
0003136831.tif 000002
【実用新案登録請求の範囲】
【請求項１】
甲ベルトに甲飾りを着けた子供靴において、甲飾りの裏当てに２ヶ所の切り欠きを設け、前記切欠きには甲ベルトが挿通されており、前記切欠きは、互いに外側に突起しており、前記突起した切欠きと甲バンドとが縫着されていることを特徴とする子供靴。    
【請求項２】
前記子供靴の靴甲被は、甲前部に開口部を有した外羽根甲被であり、前記、開口部を横切るように甲バンドが靴甲被の一端には縫着されており、靴甲被の他端において、前記甲バンドは面ファスナーまたはホックにより着脱することを特徴とする請求項１記載の子供靴。
【請求項３】
前記甲飾りの裏当てに設けられた２ヶ所の切欠きは、互いに外側に突起した山形状であることを特徴とする請求項１または請求項２記載の子供靴。
【考案の詳細な説明】
【技術分野】
【０００１】
本考案は、甲バンドにキャラクター等の甲飾りを着けた子供靴に関する。
【背景技術】
【０００２】
子供靴の甲部にキャラクター等の甲飾りを着ける方法として、ホック、ボタン、面ファスナー、粘着テープ等で取替え可能な方法がある。
また、底面に柱状の脚体部を具備する熱可塑性合成樹脂により一体化された飾りをカシメにより靴甲被に固定する靴飾りも考案されている。
【特許文献１】実開昭５６-１５８８０３号公報
【非特許文献１】実開平１-１７８７０９号公報
【考案の開示】
【考案が解決しようとする課題】
【０００３】
甲飾りを靴甲被に取り付ける方法として、図２に示すがごとく、甲飾りの裏当てに２ヶ所の切欠を設け、これらの切欠きに甲ベルトを通す方法を採っていた。しかしながら、消費者から甲飾りが取れて無くなるという苦情があり、甲飾りを後で着け直す等の手直しが必要となり、甲飾りが取れない方法を考案する必要があった。
【０００４】
本考案の靴は、消費者からのクレームを解決するために、甲飾りの取れないような構造であって、しかも、手間が掛からずコストがかからない方法を提案するものである。
【課題を解決するための手段】
【０００５】
本考案の靴は、甲ベルトを有する子供靴において、甲飾りの裏当てに２ヶ所の切欠きを設け、これらの切欠きに甲ベルトを通した靴であり、甲ベルトの挿通方向に２ヶ所の切欠きを設け、それらの切欠きは、互いに外側に突起するような切欠きであり、それらの切欠きと甲バンドとが縫着されていることを特徴とする。  
【０００６】
また、本考案の靴は、甲バンドが面ファスナー、ボタン、ホック等を用いて、対向する靴甲被と着脱可能であることを特徴とする。
【０００７】
また、本考案の靴の甲飾りの裏当てに設けられた２個の切欠きは外側に山形状に設けられていることを特徴とする。
【考案の効果】
【０００８】
本考案の靴は、甲飾りが甲バンドの裏当てに設けられた２ヶ所の切欠き部に挿通されており、しかも切欠き突出部分と甲バンドが縫着されているので、遊び盛りの子供が運動しても甲飾りが取れることがない。  
【０００９】
また、本考案の靴は、甲バンドを甲飾りの裏当てに設けられた切欠きに通して縫着するだけなので、特別な甲飾りを取り付けるための部品もいらず、製造上安価である。
【考案を実施するための最良の形態】
【００１０】
本考案の靴を以下のような手順にて製造する。
１．甲飾りの作成
予め表面にキャラクターの絵が描かれた甲飾り（表）を準備した。これとは別に甲飾りの裏当てを図３に示すように山形状の切欠きを設けるように裁断した。甲飾り表と甲飾りの裏当てを重ねてその周縁部を縫着した。
ここで、切欠きの形状は図３に限定されるものではなく、甲バンドを通した後、縫い付けられるよう外側に突起した形状であればよい。
【００１１】
２．甲飾りと甲バンドの縫着
甲バンドを準備し、甲飾りの切欠きに通し、甲バンドと甲飾りの裏当ての切欠きの突出部とを縫着し、図４に示すようなに甲バンドと甲飾りを一体化した部品を作成した。さらに甲バンドの裏側部分に面ファスナーを縫着した。
【００１２】
３．靴甲被の縫製
前部が開口した外羽式の靴甲被を縫製し、甲バンドの対抗する位置に面ファスナーを縫付け、これに甲飾りと甲バンドを一体化した面ファスナー付のパーツを縫着し外羽根タイプの靴甲被を縫製した。
【００１３】
４．靴の製造
前記外羽根タイプの靴甲被をラストに吊り込み、底付けし、廻しテープ、先保護ゴム等のゴム部品を貼付けし、加硫缶で加硫を行い未加硫ゴムを加硫し、ラストを型抜き後、図１に示すような靴を製造した。
この靴は、キャラクターの甲飾りが甲バンドにしっかりと縫着されており、外観も良く、育ち盛りの子供靴として好適な靴である。
【図面の簡単な説明】
【００１４】
【図１】本考案の靴の斜視図
【図２】甲飾りの裏当てに甲バンドを挿通した状態の従来品の切欠きの状態の図
【図３】甲飾りの裏当ての切欠きの状態の図
【図４】本考案の甲バンドを挿通した後甲バンドを切欠きと縫着した状態の図
【符号の説明】
【００１５】
１．靴
２．甲飾り
３．甲バンド
４．直線状の切欠き
５．山形状の切欠き
６．切欠きの縫着部
７．甲飾りの裏当て
【図１】
0003136831.tif 000003
【図２】
0003136831.tif 000004
【図３】
0003136831.tif 000005
【図４】
0003136831.tif 000006
(57)【要約】【課題】接合部分が薄く仕上がって肌触りが良く、簡単に製造できるショーツを提供すること。【解決手段】前身頃１及び後身頃２から成り、前身頃１と後身頃２との接合部分において、前身頃端部と後身頃端部を重ね合わせて、当該箇所を熱可塑性樹脂フィルム５で接着してある。クロッチ部３に裏当て布４を熱可塑性フィルムで接着しても良い。前身頃１及び後身頃２は切りっ放し生地とするのが望ましい。【選択図】図１
0003136098.tif 000002
【実用新案登録請求の範囲】
【請求項１】
前身頃及び後身頃を備え、前記前身頃と後身頃との接合部分において、前身頃端部と後身頃端部を重ね合わせて、当該箇所を熱可塑性樹脂フィルムで接着したことを特徴とするショーツ。
【請求項２】
クロッチ部に裏当て布を熱可塑性樹脂フィルムで接着した請求項１に記載のショーツ。
【請求項３】
前記前身頃及び後身頃が切りっ放し生地から成る請求項１又は２に記載のショーツ。
【考案の詳細な説明】
【技術分野】
【０００１】
本考案は、ショーツに関する。
【背景技術】
【０００２】
通常のショーツは、前身頃と後身頃とを両脇及び股下において接合して成る。
前身頃と後身頃の接合は、ミシンで縫合するのが一般的であるが、このようなショーツは、地縫いや端ミシンによって縫い糸が重なるだけでなく、袋縫いによる生地の重なりで、縫合部分が非常に分厚くなるため、ごろついて肌触りが悪かった。
また、縫合によらず、生地をつき合わせてその片面に低融点樹脂シート及び高融点樹脂シートを積層一体化した熱融着テープを配置し、高融点樹脂シートと生地を低融点樹脂シートで融着接合した衣類が知られている（特許文献１参照）。
しかし、このものは、生地を裁断する際の寸法精度が要求されるだけでなく、生地どうしを正確に付き合わせなければならないため、加工が面倒で不良品も発生し易い。
【０００３】
【特許文献１】特開２００５−２２６１７５号公報
【考案の開示】
【考案が解決しようとする課題】
【０００４】
本考案が解決しようとする課題は、接合部分が薄く仕上がり、しかも縫製箇所が全く無いことにより、肌触りが良く、簡単に製造できるショーツを提供することにある。
【課題を解決するための手段】
【０００５】
本考案のショーツは、前身頃及び後身頃を備え、前記前身頃と後身頃との接合部分において、前身頃端部と後身頃端部を重ね合わせて、当該箇所を熱可塑性樹脂フィルムで接着してある。
クロッチ部に裏当て布を熱可塑性樹脂フィルムで接着しても良い。
前記前身頃及び後身頃は切りっ放し生地とするのが望ましい。一方、裏当て布は切りっ放し生地に限定されるものではない。
【考案の効果】
【０００６】
請求項１に係る考案によれば、前身頃と後身頃とを接着して接合し、縫製していないので、接合部分が薄く仕上がってごろつかず、着用感が良い。
また、前身頃端部と後身頃端部とを重ね合わせて接着してあるので、突き合わせて接合するもののように高度な寸法精度が要求されず、接合作業も簡単である。
請求項２に係る考案によれば、裏当て布をクロッチ部へ縫い付けるための縫合部が形成されていないため、股下部の肌触りが良い。
請求項３に係る考案によれば、前身頃及び後身頃の端始末が不要であり、ウェスト口及び脚口へ伸縮テープを装着する必要が無いので、製造がいっそう簡単になるばかりか、端部が分厚くなる虞も無く、着用感がさらに向上する。
【考案を実施するための最良の形態】
【０００７】
以下、本考案の実施例を図面に基づいて詳細に説明する。図１は、ショーツの正面図、図２は、ショーツの展開裏面図、図３は、前身頃と後身頃との接合部分の断面図、図４は、裏当て布とクロッチ部との接合部分の断面図である。
本考案のショーツは、図２に示すように、前身頃１と、後身頃２と、クロッチ部３の裏面に積層された裏当て布４とを備える。
前身頃１及び後身頃２は、切断してもその切断位置でほつれが生じず、端処理を必要としない、伸縮性を有する切りっ放し生地より成り、ウェスト口及び脚口への伸縮テープの装着も不要となっている。また、前身頃１と後身頃２とはクロッチ部３で連続しており、図１に示すように、前身頃１の両脇端部と後身頃２の両脇端部とがそれぞれ接合されている。
なお、前身頃１と後身頃２の素材である切りっ放し生地は、経編みであっても緯編みであってもよい。
【０００８】
図３に示すように、前身頃１の端部と後身頃２の端部とは、テープ状の熱可塑性樹脂フィルム５で接着されている。
熱可塑性樹脂フィルム５は、熱可塑性ポリウレタン等の伸縮性を有するホットメルト型接着剤を素材とし、この熱可塑性樹脂フィルム５を挟んで前身頃１の端部と後身頃２の端部を重ね合わせ、加熱しながら加圧して熱可塑性樹脂フィルム５を溶融することにより、前身頃１と後身頃２とを接着する。
【０００９】
図２に示すように、裏当て布４は、クロッチ部３よりやや幅狭く形成され、その両側縁が両側の脚口から僅かに内側に位置するよう、クロッチ部３の裏面に配置される。
そして、図４に示すように、裏当て布４の周縁部をテープ状の熱可塑性樹脂フィルム５’でクロッチ部３へ接着する。
熱可塑性樹脂フィルム５’の構造及び接着方法は、ショーツの両脇における前身頃１と後身頃２との接合部分と同じである。
【００１０】
従って、連続した前身頃１及び後身頃２を裁断し、クロッチ部３の裏面に裏当て布４を接着し、前身頃１の両側端部と後身頃２の両側端部とを重ね合わせて接着するだけで、縫い加工をすることなく簡単にショーツを製造することができ、両脇の接合部分は薄く仕上がるので、ごろつき感が無くて肌触りが良い。
また、ショーツのウェスト口及び脚口には端始末が施されず、伸縮テープも装着されず、さらに、裏当て布４が脚口から内側へ逃げるよう設けられているので、ウェスト口及び脚口は身生地一枚分の厚みを有するだけであり、しかも、股下には身頃の接合部が無いため、非常に良好な着用感が得られる。
【図面の簡単な説明】
【００１１】
【図１】本考案の実施例を示すショーツの一部を破断した正面図。
【図２】本考案の実施例を示すショーツの一部を破断した展開裏面図。
【図３】前身頃と後身頃との接合部分の断面図。
【図４】クロッチ部と裏当て布との接合部分の断面図。
【符号の説明】
【００１２】
１  前身頃
２  後身頃
３  クロッチ部
４  裏当て布
５，５’  熱可塑性樹脂フィルム
【図１】
0003136098.tif 000003
【図２】
0003136098.tif 000004
【図３】
0003136098.tif 000005
【図４】
0003136098.tif 000006
(57)【要約】【課題】本考案は水の流れを利用してトローリング用の水面活動版を船の後方左右に分けて使用する時に一種類の形態で右用左用と使用出来て構造が簡単、引きずり抵抗が少ない、左右によく分かれる等の優れた特徴を持つトローリング用品を提供するもので有る。【解決手段】木又は軽量プラスチックで、１種類の形態で右又は左の一定の方向に進むように右又は左にカーブした本体の前後を対称として引き糸と釣り針糸を前後に結びかえるだけで右又は左の一定の方向に進むようにする。羽根は出来る限り上部に取り付け本体側面を流れる水の力を最大限利用出来るようにし、下部にオモリを付けて安定を良くしたトローリング用水面活動板。【選択図】図１
0003136078.tif 000002
【実用新案登録請求の範囲】
【請求項１】
木又は軽量プラスチックで作ったトローリング用品で進行方向の右又は左の一定の方向に進むように、右又は左へカーブした本体を前後対称に作り、本体を前後回転して引き糸と釣り針糸を結び変えるだけでカーブの方向が逆になるトローリング用水面活動板。
【請求項２】
直線の本体の前部と後部を片刃のナイフのように、右又は左だけに進むように加工した。請求項１記載のトローリング用水面活動板。
【請求項３】
前方に引き糸を結ぶ時に仕かけや水面の状況に応じて引き糸の取り付け位置を前後に動かせるように、穴を本体に上下十数ヶ所空けて認意の位置に糸を結べるようにした請求項１又は２記載のトローリング用水面活動板。
【請求項４】
本体の上下回転を防ぐ為に引きずり用の糸の取り付ける位置を出来るだけ本体の上と下にする為、引きずり用の糸を通す穴を本体の上の角の近くと下の角の近くから斜めに反対面中央付近に空けて穴の強度を損なわないようにし通した糸が上下に動かないように中央付近に結び目を作れるようにした請求項１，２又は３記載のトローリング用水面活動板。
【請求項５】
本体に取り付ける羽根は、羽根の前と羽根の後ろを上向きになるように斜めに切り落とし前後が入れ変わっても水流によって出来る上向きの浮力を補うようにする。さらに羽根の取り付けは本体側面を流れる水の力を最大限利用出来るように、本体の上部に付け、本体側面の水の流れを防げないようにした。請求項１，２，３又は４記載のトローリング用水面活動板。
【考案の詳細な説明】
【技術分野】
【０００１】
本考案は、木又は軽量プラスチックとオモリから成る。
【背景技術】
【０００２】
トローリング又は引き釣り等で船から斜め後方に左右に分けて引いて、水面を走らせ、水しぶきをあげて小魚の群れに見えるようにしたトローリング用品はこれまで色々有った。
【考案の開示】
【考案が解決しようとする課題】
【０００３】
しかし、右用、左用、中用と３種類の違う形態が必要で波等でひっくり返ると、思った方向へ進行しない。構造が複雑で有る。小さい舵板を付けただけでは、太い道糸、針、仕かけ等の為思ったように動かない等の欠点が有った。
【課題を解決するための手段】
【０００４】
本考案は水面で魚釣りするときに使用して実績の有るヒコーキ又はトンボと呼ばれる釣具を１種類の形態で左右に分けて引く様に改良したもので有る。
【０００５】
まず、右方向へ行くヒコーキは右方向へ行くように上から見たら右方向へカーブして作るか又は左側面を片刃のナイフのように成型して右方向へ向かうようにする。
【０００６】
左方向へ行くヒコーキは、左方向へ行くように上から見たら左方向へカーブして作るか又は右側面を片刃のナイフのように成型して左方向へ向かうようにするか又は、右方向へ向かうのを前後逆にして左へ向け引き糸と釣り針を結び替えると左方向へ向かうようになる。
【０００７】
本体を認意の方向へ寄せる力を強める為にはヒコーキに付ける翼のような羽根を可能な限り、本体上部に取り付けて本体側面の水の流れをスムーズになるようにし、水流によって本体を右側又は左側の認意の方向へ寄せる力を強めるようにする。これによって、太めの糸や仕かけ等でも本来の寄せる方向へスムーズに動く。
【０００８】
さらに、本体に取り付ける引き糸は一ヶ所から引くと、波等で上下回転しやすくなる為に本体の上下２ヶ所から糸を引くようにする。
【０００９】
引き糸を取り付ける穴は前後対称に十数個の穴を本体側面上下に空けるこれによって２ヶ所から４ヶ所まで釣りの仕かけ等に合わせて認意の位置に糸を取り付ける。
【００１０】
ヒコーキに付ける羽根は、木かプラスッチックで作り、浮力を補えるように迎角を付け、本体の下のほうに取り付けたオモリと波の力等で、上下回転してもすぐに正常な状態へ回転復帰するようにする。
【考案の効果】
【００１１】
本考案に係るトローリング用左右に分かれる水面活動板は一形態で、引き糸と釣り針を前後付け変えるだけで右用、左用と認意に使用でき、波等で上下ひっくり返ってもすぐに起き上がり、水中へ潜ってもすぐ浮上し、水流を利用しトローリング仕かけを船の後方左右に分けて流し、これまでのトンボ等と同じように、水しぶきをあげて、魚を誘い構造が簡単なので故障が少なく、水流による引きずり抵抗も少なく、実用性にも優れた物で有る。
【考案を実施するための最良の形態】
【００１２】
図１は本考案を上から見た図で進行方向の右側へ行くように右にカーブさせている形態で有る。
【００１３】
図２は本考案を上から見た図で進行方向の左側へ行くように左へカーブさせている形態で有る。これは図１を前後逆にして引き糸と釣り針糸を結び変えた形態でも有る。
【００１４】
図３は図１を横から見た図で有る。２の羽根は本体上部に取り付け、側面を流れる水をスムーズに流し、本考案のヒコーキが進行方向の右側へ行く力を最大になるようにする  形態で有る。
【００１５】
７のオモリは本体の上下回転を止める為に、本体の下方に取り付ける形態で有る。
【００１６】
５の穴は前後対称に十数個上下に空け、３の引き糸で中間を結び水面上を跳ねても出来る限り上下回転しないようにする形態である。
【００１７】
６の穴は本体前後と羽根に空けて糸４を通して釣り針に結ぶ形態で有る。
【図面の簡単な説明】
【００１８】
【図１】本考案に係るトローリング用。右に分かれる水面活動板を上から見た図で有る。尚、進行方向は図の右より左へ進む。
【図２】本考案に係るトローリング用。左に分かれる水面活動を上から見た図で有る。尚、進行方向は図の右より左へ進む。
【図３】本考案に係るトローリング用。右に分かれる水面活動板を横から見た図で有る。進行方向は図の右より左へ進む。
【図４】本考案に係るトローリング用。右に分かれる水面活動板を上から見た図で、左右に分かれる必要が少しだけの時には本体のカーブをなくした本考案を上から見た図で有る。          この考案では、前部と後部を対称に片面だけ加工する。          尚、横から見た図は図３と同じ。進行方向は図の右より左へ進む。
【符号の説明】
【００１９】
１  本体
２  羽根
３  引きずり糸
４  釣り針糸
５  引きずり用穴
６  釣り糸用穴
７  オモリ
【図１】
0003136078.tif 000003
【図２】
0003136078.tif 000004
【図３】
0003136078.tif 000005
【図４】
0003136078.tif 000006
(57)【要約】【課題】使用者により良好な密着性と使い心地を与えることを可能にする軟式おもりを充填可能なウェイトトレーナーを提供する。【解決手段】ベース１０、複数のおもり２０、リング３０及び面ファスナー４０を有する。ベース１０は一つの側面に複数のポケットを有し、それぞれのポケットはポケットの口部を束縛・解放可能なゴムを有する。複数のおもり２０はポケット内に収納される。リング３０はウェイトトレーナーの一端に装着される。マジックテープ（登録商標）４０は一部分がポケットの外側に取り付けられ、別の一部分がベース１０の外側へ延長される。【選択図】図３
0003136067.tif 000002
【実用新案登録請求の範囲】
【請求項１】
一つの側面に複数のポケットを有し、前記ポケットはポケットの口部を束縛または解放可能なゴムを有するベースと、
ポケット内に収納される複数のおもりと、
ウェイトトレーナーの一端に装着されるリングと、
一部分がポケットの外側に取り付けられ、別の一部分がベースの外側へ延長される面ファスナーと、
を有することを特徴とするウェイトトレーナー。
【請求項２】
おもりは鉄砂と粘性のある油液とを袋体に充填することにより構成されるため、おもりは一定の重量を保ちながら柔軟性を有するだけでなく、湾曲または変形が可能であることを特徴とする請求項１に記載のウェイトトレーナー。
【請求項３】
ベースは長形を呈し、柔軟性と通気性とがある材質から製作されることを特徴とする請求項１に記載のウェイトトレーナー。
【請求項４】
面ファスナーはベースの長軸に沿い配置されることを特徴とする請求項３に記載のウェイトトレーナー。
【考案の詳細な説明】
【技術分野】
【０００１】
本考案はトレーニング用品、詳しく言えば軟式おもりを充填可能なウェイトトレーナーに関するものである。
【背景技術】
【０００２】
一般的におもりを充填または変更可能なウェイトトレーナーに使用されるおもりは主に硬い鉄塊または鉛塊である。通常それらのおもりをウェイトトレーナーのポケットに入れ、そののち布生地で被って面ファスナーによりポケットの口部を閉じる。おもりそのものは硬いため、使用者はウェイトトレーナーを装着し、使用する場合、密着具合と使い心地があまりよくない。またポケットの口部を閉じるには、別のユニットを使用する必要があるため、ウェイトトレーナー全体の体積が増大し、使用がより不便になるという事態を招く。
【考案の開示】
【考案が解決しようとする課題】
【０００３】
本考案の主な目的は使用者により良好な密着性と使い心地を与えることを可能にする軟式おもりを充填可能なウェイトトレーナーを提供することである。
本考案のもう一つの目的は体積を増大させる必要なく軟式おもりを充填することを可能にする軟式おもりを充填可能なウェイトトレーナーを提供することである。
【課題を解決するための手段】
【０００４】
上述の目的を達成するために、本考案はベース、複数のおもり、リング及び面ファスナーを有する。ベースは一つの側面に複数のポケットを有し、それぞれのポケットはポケットの口部を束縛または解放可能なゴムを有する。複数のおもりはポケット内に収納される。リングはウェイトトレーナーの一端に装着される。面ファスナーは一部分がポケットの外側に取り付けられ、別の一部分がベースの外側へ延長される。
【考案を実施するための最良の形態】
【０００５】
以下、本考案の実施例を図面に基づき説明する。
図１から図３に示すように、本考案の一実施例による軟式おもりを充填可能なウェイトトレーナーは下記のものを有する。
ベース１０は長形を呈し、かつ柔軟性と通気性とがある材質から製作され、かつベースの一つの側面に複数のポケット１１を有し、それぞれのポケットはポケットの口部を束縛・解放可能なゴム１２を有する。
【０００６】
複数のおもり２０はポケット１１内に収納され、おもりは鉄砂と粘性のある油液とを袋体に充填することにより構成されるため、おもりは一定の重量を保ちながら柔軟性を有するだけでなく、湾曲または変形などができる。
リング３０はウェイトトレーナーの一端に装着される。本実施例では、リング３０はポケット１１の外側に装着される。
【０００７】
面ファスナー４０は一部分がポケット１１の外側に取り付けられ、別の一部分がベース１０の外側へ延長される。本実施例では、面ファスナーはベースの長軸に沿い配置される。
使用の際にまず手首または足首にベース１０を付け、そののち面ファスナー４０の延長部位の端部をリング３０から通し、続いて面ファスナーに折り返し、貼り付ければ、ウェイトトレーナーを使用部位に装着することが可能である。
【０００８】
またおもり２０は柔軟性を有するため変形できる。従って、ポケット１１におもりを簡単に入れることが可能なだけでなく、ウェイトトレーナーを付けている使用者に硬いものから圧迫される感覚を与えることなく、より良好な使い心地と密着性を与えることが可能である。またポケットは口部にゴム１２を有するため、おもり２０を入れた後、ゴムの束縛によりおもりをポケット中に保持することが可能である。従っておもりはポケットから落ちにくい。
【図面の簡単な説明】
【０００９】
【図１】本考案の一実施例による軟式おもりを充填可能なウェイトトレーナーの平面図である。
【図２】本考案の一実施例による軟式おもりを充填可能なウェイトトレーナーの側面図である。
【図３】本考案の一実施例による軟式おもりを充填可能なウェイトトレーナーとおもりとの分離状態を示す模式図である。
【符号の説明】
【００１０】
１０：ベース、１１：ポケット、１２：ゴム、３０：リング、４０：面ファスナー
【図１】
0003136067.tif 000003
【図２】
0003136067.tif 000004
【図３】
0003136067.tif 000005
(57)【要約】      （修正有）【課題】電気式の蚊取器に供給する電源を情報端末から供給することができ、その蚊取器等から揮発した薬効成分を拡散することのできる情報端末接続型蚊取器の提供。【解決手段】電気式の蚊取器等に情報端末からの電源を供給する接続端子を設けた構成。【選択図】図１
0003136034.tif 000002
【実用新案登録請求の範囲】
【請求項１】
パーソナルコンピュータなどのような情報端末から電源を得ることの出来る端子を特徴とする電気式の蚊取器。
【考案の詳細な説明】
【産業上の利用分野】
【０００１】本考案は、おもに、電気式の蚊取器のような電気を利用して薬品を揮発拡散させるものについて、電源端子を情報端末の外部接続端子に挿着することによって作動させることに関する。
【背景技術】
【０００２】従来、蚊取器等について一般的に普及しているものに、固体や液体の薬効成分を電気を利用して熱することにより揮発を促進させ、その揮発した成分が自然に部屋内に広がっていき効果を発揮させるようにしたものがある。
【考案の開示】
【考案が解決しようとする課題】
【０００３】前記の電気式の蚊取器等では、電源コンセントからの電源供給により薬効成分を部屋に拡散させるようにすることが出来る。
しかしながら、従来の電気式蚊取器は電源コンセントを必要としているので、例えばパーソナルコンピュータなど他の電気製品を使用中に、近くに別のコンセントがないと、この電気式の蚊取器は使えないという問題があった。【０００４】本考案は、上記のような従来の問題点を考慮してなされたものであり、その目的とするところは、電気式の蚊取器等を、使用中の情報端末に接続して使用するため、情報端末本体から蚊取器等に電源を供給することが出来、揮発した薬効成分を使用者周辺に効率的に拡散することの出来る情報端末接続型蚊取器を提供することにある。
【課題を解決するための手段】
【０００５】前記目的を達成するための手段として、本考案の情報端末接続型蚊取器では、電気式の蚊取器等に情報端末からの電源を供給する接続端子（ＵＮＩＶＥＲＳＡＬ  ＳＥＲＩＡＬ  ＢＡＳ  以下ＵＳＢ）端子を設けた構成とした。
【考案の効果】
【０００６】情報端末接続型蚊取器においては、前記構成によるもので、電気式の蚊取器のＵＳＢ接続端子を、パーソナルコンピュータ等に装備されているＵＳＢ接続端子に挿着することによって電気式の蚊取器を作動させるため、特に、従来の電気式の蚊取器等のために供する電源コンセントが不要になる。また、情報端末使用者の付近にて効果が発揮されるため、揮発させた薬効成分を使用者周辺に無駄なく拡散させることが出来る。
【実施例】以下、本考案の実施例を図面に基づいて説明する。【０００７】図１は、本考案実施例の情報端末接続型蚊取器を示す斜視図である。【０００８】本実施例の情報端末接続型蚊取器は、電気式の蚊取器と、ＵＳＢ接続端子を主要な構成としている。
尚、本実施例の電気式蚊取器は、通電することにより、揮発した薬効成分を拡散させるものを使用している。【０００９】本実施例の情報端末接続型蚊取器は、上記構成になっており、これを使用する時は、まず蚊取器側ＵＳＢ接続端子２をパーソナルコンピュータ側ＵＳＢ接続端子３に挿着しておく。そしてパーソナルコンピュータの電源を入れることで蚊取器１が作用するように通電させる。これにより、揮発した薬効成分が拡散する。このように簡易な操作で使用することが出来る。
【産業上の利用可能性】
【００１０】以上、本考案の実施例について図面により説明したが、本考案の具体的な構成は、前記した実施例に限定されるものではなく、本考案の要旨を逸脱しない範囲の設計変更等があっても本考案の範囲に含まれる。【００１１】例えば、本実施例では電気式の蚊取器のＵＳＢ接続端子をパーソナルコンピュータに装備されているＵＳＢ接続端子に挿着することを例にとり説明してきたが、情報端末に専ら外部機器との情報をやり取りするために装備されている、ＵＳＢ端子以外の電源供給可能な外部接続端子を組み合わせても良い。
【図面の簡単な説明】
【図１】本考案実施例の情報端末接続型蚊取器を示す斜視図である。
【符号の説明】
１  蚊取器
２  蚊取器側ＵＳＢ（ＵＮＩＶＥＲＳＡＬ  ＳＥＲＩＡＬ  ＢＡＳ）接続端子
３  パーソナルコンピュータ側ＵＳＢ接続端子
４  パーソナルコンピュータ
【図１】
0003136034.tif 000003
(57)【要約】【課題】  従来の固定化された隠蔽配線及び露出配線方式は、地震等による漏電や過熱流によるによる火災の危険性が高い。又、碍子引き配線工事を行う場合、作業の手間がかかるとともに、技術も必要になるし容易に行うことが出来ない。【解決手段】  本考案は基板の上面に複数個の碍子を介し配線された電線に、漏電遮断器と照明器具と差込コンセントが結線された、取付け式照明器具を提供する。尚、露出部の配線に露出型引掛けシーリング・スイッチを取付け、照明器具の取り離しが出来ることとし、地震や火災時の非常時に切り離せる様にしても良い。【選択図】図１
0003136050.tif 000002
【実用新案登録請求の範囲】
【請求項１】
基板の上面に、複数個の碍子及び漏電遮断器が設けられ、前記碍子を介して配線された電線に、漏電遮断器と照明器具と差込コンセントが結線された取付式照明器具。
【考案の詳細な説明】
【技術分野】
【００１】  本考案は、基板に室内碍子引き配線をした、取付式照明器具に関するものである。
【背景技術】
【００２】  従来の碍子付配線・隠蔽配線を露出配線は建物天井裏等に固定化され、照明器具のみが室内に取り付けられている。
【考案の開示】
【考案が解決しようとする課題】
【００３】  従来の固定化された隠蔽配線及び露出配線方式は、地震等による漏電や過電流にる火災の危険性が高い。【００４】  又碍子引き配線工事を行う場合、作業の手間がかかるとともに、技術も必要に成るし容易に行うことが出来ない。
【課題を解決するための手段】
【００５】  本考案は、基板の上面に複数個の碍子及び漏電遮断器が設けられ、前期の碍子を介し配線された電線に、漏電遮断器と照明器具と差込コンセントが結線された取付式照明器具。【００６】  尚、露出部の配線に露出型引掛けシーリング・スイッチを取り付け、照明器具の取取り離しが出来ることとし、地震や火災時の非常時に切り離なせる様にしてもよい。
【考案の効果】
【００７】  基板に碍子を介して配線を施し、照明器具と一体化させいるので、配線工事の手間を省くことが出来る。又、差込コンセントを取り付けることにより照明器具の移動や取り付けも容易に出来る。【００８】  漏電遮断器を取り付けているので、漏電の危険性もなく安心して使用することが出来る。又、碍子を介して配線しているので目視による点検や修理、取替えも容易に行うことが出来る【００９】  回路全体が開放型で、一般共通部品が使用出来かつ部品数も少ないので、費用も安価である。【０１０】  配線間に５アンペアの漏電ブレーカー（配線用遮断器兼用型）を設置すると、より一層安全性を高めることが出来る。
【考案を実施するための最良の形態】
【０１１】  以下、本考案の最良の形態を実施例となる図面を参照しながら説明する。【０１２】  図１は本考案になる取付式照明器具の説明図である。基板１の上面には複数個の碍子２−１〜２−１３が設けられている。基板１にはデザイン性のある杉板やケヤキ板等の木材や、軽量で耐久性のアルミやプラスチックの基板１に木目シールを貼ってもよく、天井や壁面にビスを用いて取り付ける。この実施例では、基板１として厚さ４ｃｍ巾２０ｃｍ長さ２ｍの杉板を用いた。【０１３】  次に、基板１に左側４個・中央５個、右側４個の碍子（２−１〜２−１３）を取り付けた。碍子は一般碍子又は有田焼碍子を用いる。【０１４】  基板１にブランチボックスを設け、１００ｖ電圧の差込式コンセント３と漏電ブレーカー９を結線した。尚、碍子２−１と２−２間、碍子２−３と２−４間、碍子２−５と２−６間、碍子２−７と２−８間、碍子２−９と２−１０、碍子２−１１と２−１２間を外的衝撃によるゆるみ防止のためにＳ型スリーブ５で接続した。
尚ブランチボックス４とはプラス電線とマイナス電線を接続するボックスである。【０１５】  照明器具８の傘は、有田焼やガラス工芸品を用いて作られたものが好ましく、瀬戸焼の露出型引掛けシーリング６で基板１に取付けた。【０１６】  照明用点滅装置として、碍子を介して配線された電線間にプルスイッチ７を設けた。
【図面の簡単な説明】
【０１７】
【図１】本考案の碍子引き配線を施した取り付け式照明器具の実施例を示す正面図である。
【符号の説明】
【０１８】    １        基版
２−１    碍子
２−２    碍子
２−３    碍子
２−４    碍子
２−５    碍子
２−６    碍子
２−７    碍子
２−８    碍子
２−９    碍子
２−１０  碍子
２−１１  碍子
２−１２  碍子
２−１３  碍子
３        １００ｖ電圧の差込コンセント
４        ブランチボックス
５        Ｓ型スリープ
６        露出型引掛けシーリング
７        プルスイッチ
８        照明器具
９        ５Ａの漏電ブレーカー
【図１】
0003136050.tif 000003
(57)【要約】【課題】    閉じた傘の傘地を、巻きつけ用のひもを使用して巻きつけるときの、巻きつけ動作に係る負担を軽減するとともに、ボタン掛け等の巻き止め行為を不要にする。【解決手段】傘地巻きつけ及び巻き止めの手段として、リング状のクリップを用いる。本クリップは弾力性があるものとし、リングの一箇所は開放した構造にする。この開放部分が傘本体へのはめ込み口となる。そして、傘本体にはめ込まれた本クリップは、弾力性のあるリング状の形態によって、傘地を包むように回転して、傘地の巻きつけ・巻き止めをする。また、本クリップは傘から独立した器具として使用するほか、傘地に取付けて使用する。【選択図】図１
0003136054.tif 000002
【実用新案登録請求の範囲】
【請求項１】
洋傘の傘地巻きつけ及び巻き止めに使用するリング状の留め具で、リングの一箇所が開放している構造をもち、弾性復元力を有するもの。ただし、その開放したリング両端部分が重なる構造のものを含む。
【請求項２】
請求項１の留め具で、開放部分に近い一端に通し穴を設けたもの。
【考案の詳細な説明】
【技術分野】
【０００１】  本考案は、洋傘の傘地巻きつけ及び巻き止め用具に関するものである。
【背景技術】
【０００２】  従来、傘地巻きつけ及び巻き止めには、傘地に付帯した巻きつけ用のひもとボタン・ホック・面ファスナー等とによっていた。
【考案の開示】
【考案が解決しようとする課題】
【０００３】  傘地に付帯した巻きつけ用のひもを用いて傘地を巻く場合、傘を所持する手で傘を回転させながら、傘を所持していないほうの手で傘地を巻きつけて、巻き止めをするのが一般である。このときの傘を回転させる動作や傘地を巻きつける動作に係る負担を少なくし、ボタン掛け等の巻き止め行為を不要にする。
【課題を解決するための手段】
【０００４】  傘地巻きつけ及び巻き止めの手段として、弾力性があり一部に開放部分のあるリング状のクリップを用いる。クリップの開放部分は、リング素材自体の弾力性により開くことができ、また瞬時に復元するものとする。この開放部分は、傘本体へのはめ込み口となり、はめ込まれた本クリップは、弾力性のあるリング状の形態によって、傘地を包むように回転して、傘地の巻きつけ・巻き止めをする。また、本クリップは、開放部分のリング両端の位置関係からみて、リング構造を螺旋状または渦巻状にして、リング延長を若干伸ばすと、巻き止め範囲を広げることができる。そして、本クリップは、傘から独立した器具として使用する他、傘地に取付けて使用する。傘から独立した器具として使用する場合、リング幅をやや広くすることによって、よりしっかりとした巻きつけ・巻き止めを可能にする。一方、傘地に取付ける場合、本クリップの開放部分の一端を、ひもを介するなどして、傘地巻きつけ位置に取付ける。取付け方法は限定しない。図面の取付け方法は一例である。ひもは、従来のような巻きつけ・巻き止めの手段ではなく、主として本クリップを傘地に取付ける手段として利用するが、傘を開いているときの本クリップの位置の自由度は、ひもの長短によって変化し、長ければ自由度は大きくなる。なお、本クリップに設ける通し穴については、その形状を限定するものではない。
【考案の効果】
【０００５】  ▲１▼本クリップを傘から独立した器具として使用し傘地を巻く場合：傘本体を両手で支持することになり、片手で支持する場合の負担が軽減される。しかも、本クリップを介して支持するので、傘地に直接触れることなく、また、巻きつけ完了までクリップの所持位置を変えることもなく巻きつけができる。また、本クリップの回転方向は、左右どちらでも可能であり、巻きつけ方向の確認は不要となる。そして更に、巻き止め行為を不要にした上、巻きつけ用のひもを不要にして、傘を開いたときの外観を良くする。▲２▼傘地に取付けて使用する場合：本クリップを傘本体にはめつける動作がすなわち傘地巻きつけ及び巻き止めの動作となる。したがって、この「はめつけ動作」が、傘地の巻きつけを容易にし、ボタン掛け等の巻き止め行為を不要にする。
【考案を実施するための最良の形態】
【０００６】  ▲１▼本クリップを傘から独立した器具として使用する場合：本クリップをその弾力性のある開放部分から閉じた傘の傘地巻きつけ位置に適宜はめつける。そして、本クリップを親指と人差し指で包むように把握しながら同時に傘本体を保持する。この状態で傘本体を反巻きつけ方向に回転させる。このとき、本クリップは、傘地を巻きつけながら回転することになる。そして、巻きつけ完了と同時に本クリップのリング状の形態によって、巻き止め状態となる。また、傘使用時、言い替えれば、傘を開いているときにおいては、本クリップを別途保管しなければならないが、面ファスナー等の接続機能を有するひもを利用するなどすれば、本クリップを傘の手元部分等にとめて吊るしておくこともできる。▲２▼傘地に取付けて使用する場合：本クリップを傘地巻きつけ方向に引き、傘地巻きつけを誘導しながらリングの開放部分から傘本体にはめ込む。こうすることが、本クリップのリング状の形態とあいまって、傘地巻きつけ及び巻き止めをすることになる。はめつけた位置で巻きつけが緩いときは、巻きつけ方向にリングを回すことによって調節する。▲１▼▲２▼の場合を通じて、本クリップによって巻きつけ及び巻き止めは完結される。
【図面の簡単な説明】
【０００７】
【図１】  本クリップの基本形斜視図。
【図２】  本クリップをひもを介して傘地に取付けた例の斜視図。
【符号の説明】
【０００８】  ａ−開放部分、ｂ−リング幅、ｃ−傘地、ｄ−通し穴の位置、ｅ−ひも
【図１】
0003136054.tif 000003
【図２】
0003136054.tif 000004
(57)【要約】【課題】  本考案は腰痛帯装着時のずり上がり、ずり下がりを防止し、装着安定性、装着フィット性にすぐれ、装着者の動作に支障の無いシンプルで、生ゴム臭の無い腰痛帯の提供を目的とする。【解決手段】  本考案は、長手方向に伸縮性のある引張伸度１００％以上の基布層と、すべり止めおよびずり上がり防止の引張伸度１００％以上のポリウレタン層を結合させた２層からなり、２層とも引張伸度１００％以上の帯で構成されることにより、装着者の動作の妨げを防ぐ帯を特徴とする腰痛帯である。【選択図】図１
0003136053.tif 000002
【実用新案登録請求の範囲】
【請求項１】
引張伸度１００％以上の伸縮性基布層と、引張伸度１００％以上のポリウレタン層とを上下に積層した２層帯で構成し、着脱の為の部位以外はこの２層帯で構成されたことを特徴とする腰痛帯。
【考案の詳細な説明】
【技術分野】
【０００１】  本考案は、腰痛の予防および腰痛の緩和の目的で使用する腰痛帯に関する。
【背景技術】
【０００２】  従来腰痛帯は、非伸縮性帯部と伸縮性帯部と連成して構成されていた。【０００３】  従来の腰痛帯は非伸縮性の部位により、装着者の動作の妨げになっていた。【０００４】  従来の腰痛帯は装着者の動作により、装着の位置がずれるため、何度も位置を修正する必要があり、不都合さがあった。【０００５】  生ゴムで構成された腰痛帯もあるが、生ゴム臭があるため、装着者および装着者の周辺者に生ゴム臭が不快臭となっていた。
【考案の開示】
【考案が解決しようとする課題】
【０００６】  本考案は腰痛帯装着時のずり上がり、ずり下がりを防止し、装着安定性、装着フィット性にすぐれ、装着者の動作に支障の無い、シンプルで、生ゴム臭の無い腰痛帯の提供を目的とする。
【課題を解決するための手段】
【０００７】  本考案は、長手方向に伸縮性のある引張伸度１００％以上の基布層と、すべり止めおよびずり上がり防止の引張伸度１００％以上のポリウレタン層を結合させた２層からなり、２層とも引張伸度１００％以上の帯で構成されることにより、装着者の動作の妨げを防ぐ帯を特徴とする腰痛帯である。
【考案の効果】
【０００８】  本腰痛帯を使用することにより、極めて容易に装着することができると共に、優れた装着保持性を得られるので、脱着の回数を低減することができる。ズボンや被服の着用の邪魔になることもなく、生ゴム臭もないので、長時間にわたり装着することができる。【０００９】  面ファスナー３，４以外の部位はすべて伸縮素材により構成され、体の凹凸によらず極めて優れた装着性を得ることができ、人体の複雑な動作にもフィット性を維持することができ、装着者の動作の支障になることはない。
【実施例】
【００１０】  図１の通り、伸縮性基布層１の外面にポリウレタン層２が固着され、図１の面ファスナー雄３と図１の面ファスナー雌４により、着脱可能となっている。【００１１】  伸縮性基布層１およびポリウレタン層２の引張伸度が１００％未満の場合、装着者の動作がさまたげられるので、不都合となる。本例では、伸縮性基布層１の引張伸度２００％、ポリウレタン層２は引張伸度１６０％で構成されている。【００１２】ポリウレタン層２を装着者側にし、装着することにより、すべり止め及びずり上がりずり下がりを防止できるので、優れた装着フィット作用が得られると共に、装着時の動作性が実質的に阻害されることはない。
【図面の簡単な説明】
【図１】腰痛帯の側面説明図
【図２】腰痛帯の背面説明図
【図３】腰痛帯の内面説明図
【符号の説明】
１：伸縮性基布層
２：ポリウレタン層
３：面ファスナー雄
４：面ファスナー雌
【図１】
0003136053.tif 000003
【図２】
0003136053.tif 000004
【図３】
0003136053.tif 000005
(57)【要約】【課題】本考案は集合郵便受けや戸建住宅の郵便受けに郵便物が入っているか入っていないかを見るために扉を開けて見る事や、郵便受けの投函口から覗かなくても確認出来る、合せ硝子やアクリル合わせ板で出来た郵便受けの扉。【解決手段】本考案はいろんな材種で出来た薄く透けて見えるシート状のものや不透明なシートに切り込みを入れて、透明部分を設けたものを硝子やアクリルで挟んだ板で作った扉であれば、扉を開けなくても郵便物の有無の確認が出来る【選択図】図２
0003136059.tif 000002
【実用新案登録請求の範囲】
【請求項１】
天然木突き板や和紙、布、フイルムシート、金属プレート等の薄い材料を硝子やアクリルで挟んだ、合わせ板で出来た板の郵便受けの扉。
【考案の詳細な説明】
【技術分野】
【０００１】  本考案は集合郵便受けや戸建住宅等の郵便受けの扉に関するものである。
【背景技術】
【０００２】  集合住宅の郵便受けや戸建住宅等の郵便受けの扉は、不透明な金属プレートや木製品等で出来ている。
【考案の開示】
【考案が解決しようとする課題】
【０００３】    郵便受けに郵便物が入っているかいないのか確認するには、扉を開けて見るか、郵便受けの郵便差込口から覗き込むことでしか確認出来ない。
【課題を解決するための手段】
【０００４】  いろんな材種で出来た薄く透けて見えるシート状のものや不透明なシートに切り込みを入れて、透明部分を設けたものを硝子やアクリルで挟んだ板で作った扉であれば、扉を開けなくても郵便物の有無の確認が出来る。
【課題を解決するための手段】
【考案の効果】
【０００５】    上述の様に本考案は、郵便受けの外部から透けて見える合わせ硝子や合せアクリル板を扉にすることにより郵便受け箱内部に郵便物が入っているか入っていないか目視で判断が出来るものである。
【考案を実施するための最良の形態】
【０００６】  合せる硝子やアクリルに挟み込まれるシート状の素材が透けて見えるものか、不透明な素材で出来たシートでも、部分的に切り込みを入れることにより透明な部分を作り挟み込んだ板を郵便受けの扉とする。
【実施例】
【０００７】  以下、本考案の実施の形態を図１〜３に基づいて説明する。ここでは突き板シートを挟んだあわせ硝子で出来た郵便受けの扉で説明する。突き板シート１に細長く切り抜いた部分２を作る、そのシートを２枚の硝子３で合せて１枚の合せ硝子４にする、合せ硝子をダイヤル錠５及びガラス丁番６が取り付け出来る様に穴加工してそれぞれ取り付ける、室番号または、名前７をカッティングシート等で記入する、これらを郵便受け箱本体に取り付ける。【０００８】    郵便受け扉の透けて見える透明部分８より、扉を開けなくても郵便物の有無の確認が出来る。
【図面の簡単な説明】
【０００９】
【図１】突き板シート１とシートの切欠き部分２の図
【図２】突き板シート１を硝子板４で合せ硝子にしてダイヤル錠５やガラス丁番及び室番や名前７を記入又は貼り付けた郵便受けの扉
【図３】郵便受け本体に取り付けた合せ硝子扉の断面図
【符号の説明】
【００１０】    １  突き板シート
２  シートの切り抜き部分
３  硝子板
４  シートを挟んだ合せ硝子
５  ダイヤル錠
６  硝子丁番
７  室番号や名前
８  透けて見える透明部分
【図１】
0003136059.tif 000003
【図２】
0003136059.tif 000004
【図３】
0003136059.tif 000005
(57)【要約】【課題】法面工事において、削孔ロッドをスリーブによって連結しその削孔長を延長している。削孔洞内でスリーブがスラエムの排出効率を悪くしたり、洞内削孔形状を傷つけたりする可能性がある。この問題を解決する為、削孔ロッドをスリーブや接続金具等を使用しない削孔ロッドを提供する。【解決手段】スリーブによって連結しない削孔ロッドは図１に示すようにビット（１）はロッド（２）の雄ネジ部分と連結する。ロッド（２）の片方の雌ネジ部分は継足すロッド（３）の雄ネジと連結して準じ削孔ロッドを伸ばしていく。継足すロッド（３）の雌ネジとシャンク接合用のロッド（４）の雄ネジを連結する。シャンク接合用のロッド（４）の雄ネジとシャンクロッド（６）雄ネジはスリーブ（５）よって連結する、この部分は削孔中、洞内には挿入しない。これによりロッドの形状はフラットになり、洞内のスラエムの排出効率が向上し、作業時間の短縮も計れ、良好な洞穴の穿孔できる。【選択図】図１
0003136060.tif 000002
【実用新案登録請求の範囲】
【請求項１】
削孔ビットと連結する左右にそれぞれ雄ネジ、雌ネジを具備した先端ロッドと両端に雄ネジを具備したシャンクロッド連結用ロッドをそれぞれ連結した削孔用ロッド。
【請求項２】
先端ロッドとシャンクロッド連結用ロッドとの間に左右にそれぞれ雄ネジ、雌ネジを具備したロッドで次、次と連結した請求項１に記載の削孔用ロッド。
【考案の詳細な説明】
【考案の詳細な説明】
【０００１】本新案は、土木工事法面工で岩盤穿孔作業をする際に、削孔用ロッドを連結する場合には従来は連結補助具スリーブを使用して連結し削孔長の延長を計っている。
【考案が解決しようとする課題】
【０００２】連結補助具スリーブの採用により図３のスリーブを採用よる削孔では洞内でのスラエムの排出をスリーブ凸部分が妨害して、排出効率を下げる。
【０００３】スラエムの排出効率が下がることにより削孔時間が余計にかかったり、スリーブの凸部分が洞壁を傷めて歪な洞穴となる。
【考案が解決するための手段】
【０００４】このような従来のロッドの延長方法を改良するものとして、それぞれのロッドを図２のように雄ネジと雌ネジを具備したロッドで連結する削孔用ロッドを考案した。
【考案の効果】
【０００５】本新案により削孔時のスラエブの排出効率が上がり、削孔時間の短縮が計れ、従来のスリーブによって連結した場合より真っ直ぐな削孔穴が実現できる。
【０００６】削孔ロッドの連結が容易になった為、以前より短いロッドの継足しが可能となり、それにより削孔機のガイドセルも短くすることができる。その結果取扱が簡単で、作業効率が向上した削孔機を提供できる。
【考案を実施するための最良の形態】
【解決手段】
【０００７】連結金具スリーブによって連結しない削孔ロッドは図１に示すようにビット（１）はロッド（２）の雄ネジ部分と連結する。ロッド（２）の片方の雌ネジ部分は継足すロッド（３）の雄ネジと連結して順じ削孔ロッドを伸ばしていく。継足すロッド（３）の雌ネジとシャンク接合用のロッド（４）の雄ネジを連結する。シャンク接合用のロッド（４）の雄ネジとシャンクロッド（６）雄ネジはスリーブ（５）よって接合する、この部分は削孔中、削孔機がガイドセルに載っているため、洞内には入らない。このことによりロッドの形状はフラットになり、洞内のスライムの排出効率が向上し、作業時間の短縮も計れ、良好な穿孔洞穴が実現できる。
【図面の簡単な説明】
【００８】
【図１】本考案の断面図
【図２】本考案の分解図
【図３】本考案の削孔と従来の削孔対比図
【符号の説明】
【００９】１．  ビット
２．  雄ネジ・雌ネジ付き先端ロッド
３．  雄ネジ・雌ネジ付き延長用ロッド
４．  両端雄ネジ付きシャンク連結ロッド
５．  スリーブ
６．  シャンクロッド
７．  削岩機
８．  スリーブ連結削孔ロッド
９．  スラエム
【図１】
0003136060.tif 000003
【図２】
0003136060.tif 000004
【図３】
0003136060.tif 000005
(57)【要約】【課題】  外扉が閉まっている間、リモコン送信機を操作しても受信機が反応動作しないようにすること。【解決の手段】  仏壇の前面の開口を開閉自在に覆う外扉と、内陣の内扉を開閉駆動する扉開閉装置とを有する仏壇において、当該扉開閉装置を開閉制御させるリモコン受信機の受光部を外扉が覆うようにしたことで、受信機が送信機に反応しないようにした。【選択図】図２
0003136055.tif 000002
【実用新案登録請求の範囲】
【請求項１】
仏壇前面の開口を開閉自在に覆う外扉と、内陣の内扉と、この内扉を開閉駆動する扉開閉装置とを有する仏壇において、当該外扉を閉じた際、当該内扉開閉装置を操作するための赤外線遠隔制御装置受信機の受光部が、当該外扉で覆われることで赤外線信号の侵入を遮断し、内扉が開閉するのを防止したことを特徴とした仏壇。
【考案の詳細な説明】
【技術分野】
【０００１】  通常、仏壇外扉は手で開閉めされているが、内扉は扉開閉装置で開閉する。この扉開閉装置を赤外線遠隔制御装置（以下リモコンと呼ぶ）で開閉操作させるにあたり、外扉を閉じた際、内扉開閉装置を操作するためのリモコン受信機の受光部が外扉で覆われることで、赤外線信号の侵入を遮断し、内扉が開閉するのを防止した。
【背景技術】
【０００２】  従来、仏壇内部に取付けられた扉開閉装置を制御するリモコン受信機の受光部が何かに覆われることなく、常にリモコンは動作可能となっていた。この為、外扉が閉められていると、誤ってリモコンを操作して内扉を開閉させても外部からは認識できないため、内扉が内部に置かれた仏具と接触して倒たり、照明器具が点灯したままになることがあった。
【考案の開示】
【考案が解決しようする課題】
【０００３】  外扉が閉まっている間、リモコン送信機を操作しても受信機が反応動作しないようにすること。
【課題を解決するための手段】
【０００４】  仏壇の前面の開口を開閉自在に覆う外扉と、内陣の内扉を開閉駆動する扉開閉装置とを有する仏壇において、当該扉開閉装置を開閉制御させるリモコン受信機の受光部を、閉められた外扉が覆うにしたことで、受信機が送信機に反応しないようにした。
【考案の効果】
【０００５】  仏壇不使用時に外扉を閉じた際、誤ってリモコン送信機を操作しても内扉が開閉しないことで、内部に安置された本尊に対して不敬とならないと共に、内部に配置された仏具に内扉が接触することが防止でき、照明器具が点灯したままになり、仏壇内部が高温になることを防止できる。
【考案を実施するための最良の形態】
【０００６】  以下、本発明に係る仏壇の実施形態を図１から図２により説明する。本実施形態の仏壇は図１から図２に示すように、上下に渡した天板９、および底板１０の間に、２枚の側板８と背板１１とを設けて箱状にし、前面部分には開閉自在に覆う外扉５と、内陣には内扉６が設けられており、天板９の上面にこの内扉６を開閉駆動する扉開閉装置３と、受信機２と天板９に開けた穴に受光部１が設けられ、左右の側板８には外扉５        れに設けられ、内部には本尊を安置する内陣があり、その全面には内扉６が設けられ、外扉５と内扉６の間には欄間７が設けられている。受光部１は閉まった外扉の上端面で覆われるように位置し、送信機４からの赤外線信号を遮断するようになっている。
【実施例】
【０００７】  以下、本考案の実施例を、図１から図２を参照して説明する。図１は仏壇天板９に受信機２およびその受光部１と、扉開閉装置３が取付けられている。扉の構造は、手で自在に開閉できる左右の外扉５および、受信機で制御された扉開閉装置３で開閉駆動される左右の内扉６からなり、受光部１は閉まった外扉５の上端面で覆われるように位置し、送信機からの赤外線信号を遮断できるようになっている。
【図面の簡単な説明】
【０００８】
【図１】仏壇扉と扉開閉装置の斜視図。
【図２】仏壇の断面図。
【符号の説明】
【０００９】１    受光部２    受信機３    扉開閉装置４    送信機５    外扉６    内扉７    欄間８    側板９    天板１０  底板１１  背板
【図１】
0003136055.tif 000003
【図２】
0003136055.tif 000004